(57)【要約】【課題】体感装置の状態に応じて、コンテンツの利用を制限できるようにすること。【解決手段】複数のコンテンツを再生可能なコンテンツ再生装置が、複数の体感をユーザに与える体感装置と、再生しているコンテンツの状況に応じて、前記体感装置を制御する制御部と、各コンテンツに応じた、前記制御部により制御される前記体感装置の情報を取得する取得部と、前記体感装置の状態を検査する検査部と、前記情報と、前記状態とに基づいて、各コンテンツの利用を制限する制限部と、を有する。【選択図】図８
2019154907.tif 000002
【特許請求の範囲】
【請求項１】
複数のコンテンツを再生可能なコンテンツ再生装置であって、
複数の体感をユーザに与える体感装置と、
再生しているコンテンツの状況に応じて、前記体感装置を制御する制御部と、
各コンテンツに応じた、前記制御部により制御される前記体感装置の情報を取得する取得部と、
前記体感装置の状態を検査する検査部と、
前記情報と、前記状態とに基づいて、各コンテンツの利用を制限する制限部と、
を有するコンテンツ再生装置。
【請求項２】
前記制限部は、前記コンテンツの再生、または前記コンテンツのダウンロードを制限する、
請求項１に記載のコンテンツ再生装置。
【請求項３】
前記制限部は、各コンテンツの一覧において、利用を許可するコンテンツを、前記ユーザにより選択可能な態様で表示する、
請求項１または２に記載のコンテンツ再生装置。
【請求項４】
前記取得部は、前記情報を、前記コンテンツ再生装置とネットワークを介して接続されたサーバからダウンロードする、
請求項１乃至３のいずれか一項に記載のコンテンツ再生装置。
【請求項５】
前記情報は、各コンテンツに応じて、前記制御部により制御される前記体感装置が必須であるか否かを示す情報を含み、
前記制限部は、前記体感装置の状態が正常でない場合において、前記体感装置が必須であるコンテンツの利用を制限し、前記体感装置が必須でないコンテンツの利用を許可する、
請求項１乃至４のいずれか一項に記載のコンテンツ再生装置。
【請求項６】
前記コンテンツは、第１コンテンツ、及び第２コンテンツを含み、
前記体感装置は、第１体感装置、及び第２体感装置を含み、
前記制限部は、前記第１体感装置の状態が異常であり、前記第１コンテンツの再生の際に前記第１体感装置が制御される場合、前記第１コンテンツの利用を制限し、
前記第２体感装置の状態が正常であり、前記第２コンテンツの再生の際に前記第２体感装置が制御される場合、前記第２コンテンツの利用を許可する、
請求項１乃至５のいずれか一項に記載のコンテンツ再生装置。
【請求項７】
複数の体感をユーザに与える体感装置と、再生しているコンテンツの状況に応じて、前記体感装置を制御する制御部と、を有し、複数のコンテンツを再生可能なコンテンツ再生装置が、
各コンテンツに応じた、前記制御部により制御される前記体感装置の情報を取得する処理と、
前記体感装置の状態を検査する処理と、
前記情報と、前記状態とに基づいて、各コンテンツの利用を制限する処理と、
を実行する再生制御方法。
【発明の詳細な説明】
【技術分野】
【０００１】
本発明は、コンテンツ再生装置、及び再生制御方法に関する。
【背景技術】
【０００２】
従来、ゲームセンターや商業施設等に設置されるゲーム装置であって、ヘッドマウントディスプレイ（ＨＭＤ、Head Mounted Display）をユーザの頭部に装着させ、ゲームの状況に応じて、搭乗部の振動、香り、及び風を体感させるコンテンツ再生装置が提案されている（例えば、特許文献１を参照）。
【先行技術文献】
【特許文献】
【０００３】
【特許文献１】国際公開第２０１７／２０３７５０号
【発明の概要】
【発明が解決しようとする課題】
【０００４】
しかしながら、従来技術では、ユーザに体感を与える体感装置が故障している場合や、カートリッジ等の消耗部品の交換が必要な場合に、ゲーム等のコンテンツの状況に応じて当該体感装置を動作させる際に、当該体感装置を適切に動作させられない場合があるという問題がある。
【０００５】
そこで、体感装置の状態に応じて、コンテンツの利用を制限できるようにする技術を提供することを目的とする。
【課題を解決するための手段】
【０００６】
複数のコンテンツを再生可能なコンテンツ再生装置が、複数の体感をユーザに与える体感装置と、再生しているコンテンツの状況に応じて、前記体感装置を制御する制御部と、各コンテンツに応じた、前記制御部により制御される前記体感装置の情報を取得する取得部と、前記体感装置の状態を検査する検査部と、前記情報と、前記状態とに基づいて、各コンテンツの利用を制限する制限部と、を有する。
【発明の効果】
【０００７】
開示の技術によれば、体感装置の状態に応じて、コンテンツの利用を制限できる。
【図面の簡単な説明】
【０００８】
【図１Ａ】実施形態に係るコンテンツ再生装置の筐体の一例を示す図である。
【図１Ｂ】実施形態に係るコンテンツ再生装置の筐体の一例を示す図である。
【図２】実施形態に係るコンテンツ再生システム１のハードウェア構成、及び配置例を示す図である。
【図３】制御装置及びサーバのハードウェア構成の一例について説明する図である。
【図４】制御装置及びサーバの機能ブロック図である。
【図５】コンテンツ再生装置の制御部によるコンテンツ再生中の処理の一例を示すフローチャートである。
【図６】実施形態に係るコンテンツ再生システムのコンテンツをダウンロードする際の処理の一例を示すフローチャートである。
【図７】検査用のデータの一例を示す図である。
【図８】コンテンツソフトの利用制限を判定する処理の一例を示すフローチャートである。
【図９】利用可能なコンテンツの一覧を表示する処理の一例を示すフローチャートである。
【図１０Ａ】再生可能なコンテンツの一覧の表示画面の例を示す図である。
【図１０Ｂ】再生可能なコンテンツの一覧の表示画面の例を示す図である。
【発明を実施するための形態】
【０００９】
以下、図面に基づいて本発明の実施形態を説明する。
【００１０】
＜コンテンツ再生装置の筐体＞
図１Ａ、図１Ｂは、実施形態に係るコンテンツ再生装置１０の筐体１００の一例を示す図である。図１Ａでは、筐体１００を斜め前から見た場合の例を示す。図１Ｂでは、筐体１００を横から見た場合の例を示す。筐体１００は、前方筐体１００Ａ及び後方筐体１００Ｂを有する。前方筐体１００Ａと後方筐体１００Ｂとの間から、ユーザが内部に入れるように配置されている。
【００１１】
＜コンテンツ再生システム１の構成＞
図２は、実施形態に係るコンテンツ再生システム１のハードウェア構成、及び配置例を示す図である。図２において、コンテンツ再生システム１は、コンテンツ再生装置１０、及びサーバ２０を有する。コンテンツ再生装置１０とサーバ２０は、インターネット、携帯電話網、及びＬＡＮ（Local Area Network）等のネットワーク３０を介して、通信できるように接続されている。
【００１２】
コンテンツ再生装置１０は、筐体１００、表示装置１０１Ａ、スピーカ１０１Ｂ、コントローラ１０２、搭乗部１０３、体感装置１０４Ａ、体感装置１０４Ｂ、体感装置１０４Ｃ、体感装置１０４Ｄ、・・・（以下で、それぞれを区別する必要がない場合は、単に「体感装置１０４」と称する。）、制御装置１１０、及び表示装置１５０等を有する。
【００１３】
コンテンツ再生装置１０は、ゲームソフト、及び映画等の動画（以下で「コンテンツ」と称する。）を再生（実行）する。また、コンテンツ再生装置１０は、再生しているコンテンツの状況に応じて、体感装置１０４を動作させる。
【００１４】
筐体１００は、例えば１人用の場合であって、シートに着座してプレイすることが想定される場合、高さは２ｍ以下、幅は１ｍ〜１．５ｍ程度であり、側壁に入り口となる開口部があり、床部の中央付近にシートが設置される。当該開口部には扉が設置されてもよい。
【００１５】
表示装置１０１Ａは、例えば、ユーザの頭部に装着するヘッドマウントディスプレイであり、コンテンツ再生中において、ユーザの視点の変更に応じた３次元のバーチャルリアリティ（ＶＲ、Virtual Reality）映像を表示する。
【００１６】
スピーカ１０１Ｂは、例えば、ユーザの頭部に装着するヘッドセットであり、コンテンツの音声等を出力する。
【００１７】
コントローラ１０２は、例えば公知のゲーム用のコントローラでもよいし、簡略化した略棒状等のコントローラでもよい。また、コントローラ１０２は、音声入力による操作を行えるものでもよいし、タッチパネルでもよい。また、例えば、表示装置１０１Ａを通じて目前にタッチパネル式の入力装置があるように表示し、ユーザが空中で指を動かすことで仮想のタッチパネルに入力する仮想のタッチパネルでもよい。
【００１８】
搭乗部１０３は、例えば、１人〜２人向けのシート（座席）である。表示装置１０１Ａを使用しながらユーザが立ち歩くと、転倒したり構造物に衝突したりする可能性がある。このため、着座するか、あるいは、着座はしないが位置を固定できるような搭乗部１０３を設ける。
【００１９】
体感装置１０４Ａは、例えば、アクチュエータであり、コンテンツ再生中においてユーザに遥動や振動等を体感させる装置である。
【００２０】
体感装置１０４Ｂは、香りを放出する装置であり、コンテンツ再生中においてユーザに香りを体感させる装置である。
【００２１】
体感装置１０４Ｃは、風、温風、冷風、及び霧混じりの風等を送る装置であり、例えばペルチェ素子、加湿装置、及び送風装置を有する。体感装置１０４Ｃは、コンテンツ再生中においてユーザに、例えば、風により空間の広がり等を感じさせる。また、体感装置１０４Ｃは、例えば、温風、及び冷風により、環境の変化等を感じさせる。また、体感装置１０４Ｃは、例えば、霧混じりの風により、雨や湿気など気候を感じさせる。
【００２２】
体感装置１０４Ｄは、例えば、ポリチューブのようなソフトな素材の複数のフィルムが棒状部材（ロール）に取り付けられ、棒状部材を回転させ、フィルムをユーザの足に接触させることにより、コンテンツ再生中においてユーザに地を這う生物との接触等を体感させる装置である。
【００２３】
制御装置１１０は、例えば、家庭用のゲーム機と、専用のシステムボードとをＵＳＢ（Universal Serial Bus）等で接続することにより構成されてもよい。制御装置１１０は、コントローラ１０２等からの入力に応答して、ゲームのプログラム（ゲームソフト）や、映画等の動画等のコンテンツの再生を実行するとともに、表示装置１０１Ａ、及びスピーカ１０１Ｂに、コンテンツの映像、及び音声をそれぞれ出力する。
【００２４】
また、制御装置１１０は、予め記憶されているコンテンツ、及びサーバ２０からダウンロードしたコンテンツを再生ないし実行し、再生しているコンテンツの状況に応じて、体感装置１０４を制御する。
【００２５】
制御装置１１０は、コンテンツを、サーバ２０からダウンロードする。
【００２６】
サーバ２０は、コンテンツ再生装置１０からの要求に従い、またはサーバ２０の管理者からの操作に従い、コンテンツ再生装置１０にコンテンツ等を配信する。
【００２７】
＜制御装置のハードウェア構成＞
次に、図３を参照し、コンテンツ再生装置１０が有する制御装置１１０、及びサーバ２０のハードウェア構成について説明する。図３は、制御装置１１０及びサーバ２０のハードウェア構成の一例について説明する図である。
【００２８】
図３に示す制御装置１１０は、それぞれバスＢで相互に接続されているドライブ装置１１１、補助記憶装置１１２、メモリ装置１１３、ＣＰＵ１１４、インタフェース装置１１５等を有する。
【００２９】
制御装置１１０での処理を実現するゲーム制御プログラムは、記録媒体１１１Ａによって提供される。ゲーム制御プログラムを記録した記録媒体１１１Ａがドライブ装置１１１にセットされると、ゲーム制御プログラムが記録媒体１１１Ａからドライブ装置１１１を介して補助記憶装置１１２にインストールされる。但し、ゲーム制御プログラムのインストールは必ずしも記録媒体１１１Ａより行う必要はなく、ネットワークを介して他のコンピュータよりダウンロードするようにしてもよい。補助記憶装置１１２は、インストールされたゲーム制御プログラムを格納すると共に、必要なファイルやデータ等を格納する。
【００３０】
メモリ装置１１３は、プログラムの起動指示があった場合に、補助記憶装置１１２からプログラムを読み出して格納する。ＣＰＵ１１４は、メモリ装置１１３に格納されたプログラムに従って制御装置１１０に係る機能を実現する。インタフェース装置１１５は、ネットワークに接続するためのインタフェースとして用いられる。
【００３１】
なお、記録媒体１１１Ａの一例としては、ＣＤ−ＲＯＭ、ＤＶＤディスク、又はＵＳＢメモリ等の可搬型の記録媒体が挙げられる。また、補助記憶装置１１２の一例としては、ＨＤＤ（Hard Disk Drive）又はフラッシュメモリ等が挙げられる。記録媒体１１１Ａ及び補助記憶装置１１２のいずれについても、コンピュータ読み取り可能な記録媒体に相当する。
【００３２】
なお、サーバ２０のハードウェア構成は、図２に示す制御装置１１０のハードウェア構成例と同様でもよい。
【００３３】
＜機能構成＞
次に、図４を参照し、制御装置１１０及びサーバ２０の機能構成について説明する。図４は、制御装置１１０及びサーバ２０の機能ブロック図である。
【００３４】
≪コンテンツ再生装置≫
コンテンツ再生装置１０の制御装置１１０は、記憶部１１を有する。記憶部１１は、例えば、補助記憶装置１１２等を用いて実現される。記憶部１１は、コンテンツ（コンテンツソフト）等を記憶する。
【００３５】
コンテンツ再生装置１０の制御装置１１０は、取得部１２、制御部１３、検査部１４、及び制限部１５を有する。これら各部は、制御装置１１０にインストールされた１以上のプログラムが、制御装置１１０のＣＰＵ１１４に実行させる処理により実現される。
【００３６】
取得部１２は、サーバ２０から検査データ２１１を取得する。検査データ２１１には、各コンテンツに応じた、制御部１３により制御される体感装置１０４の情報が含まれている。また、取得部１２は、複数のコンテンツをサーバ２０からダウンロードする。
【００３７】
制御部１３は、記憶部１１に記憶されている複数のコンテンツをそれぞれ再生し、再生しているコンテンツの状況に応じて、体感装置１０４等のコンテンツ再生装置１０に含まれる各装置の制御を行う。
【００３８】
検査部１４は、体感装置１０４の状態を検査する。検査部１４は、体感装置１０４の状態として、例えば、故障、香りのカートリッジ等の消耗品残量不足、正常等の状態を判定する。
【００３９】
制限部１５は、取得部１２により取得された検査データ２１１と、検査部１４により判定された体感装置１０４の状態とに基づいて、各コンテンツの利用を制限する。
【００４０】
≪サーバ≫
サーバ２０は、記憶部２１を有する。記憶部２１は、例えば、補助記憶装置等を用いて実現される。
【００４１】
記憶部２１は、コンテンツ再生装置１０に配信するコンテンツ、コンテンツで用いられるコンテンツ再生装置１０の各体感装置１０４の各機能を検査するための検査データ２１１等を記憶する。
【００４２】
また、サーバ２０は、配信部２２、及び制御部２３を有する。これら各部は、制御装置１１０にインストールされた１以上のプログラムが、サーバ２０のＣＰＵに実行させる処理により実現される。
【００４３】
配信部２２は、記憶部２１に記憶されている検査データ２１１、及びコンテンツを、コンテンツ再生装置１０に配信する。
【００４４】
制御部２３は、サーバ２０の全体の制御を行う。
【００４５】
＜処理＞
≪コンテンツ再生中の処理≫
次に、図５を参照し、制御部１３のコンテンツ再生中の処理について説明する。図５は、コンテンツ再生装置１０の制御部１３によるコンテンツ再生中の処理の一例を示すフローチャートである。
【００４６】
まず、ステップＳ１において、制御部１３は、コントローラ１０２等を用いたコンテンツ再生操作をユーザから受け付ける。なお、コンテンツが映画等の動画であり、ユーザによる操作が不要な場合は、ステップＳ１の処理は不要である。
【００４７】
続いて、制御部１３は、再生しているコンテンツ内の状況を判定する（ステップＳ２）。
【００４８】
続いて、制御部１３は、当該状況に応じて、体感装置１０４を制御する（ステップＳ３）、処理を終了する。
【００４９】
ここで、制御部１３は、例えば、ゲームにおいて、屋敷の外が暴風雨であるにもかかわらず、ユーザが屋敷の外に出る操作をすれば、体感装置１０４Ｃを用いて、ユーザに向かって風と水（水滴）を吹き付けさせる。
【００５０】
また、制御部１３は、例えば、案内役の女性キャラクターと初めて遭遇した際に、体感装置１０４Ｂを用いて、花の香りを放出させる。また、制御部１３は、例えば、敵のボス役のキャラクターを登場させた際、当該キャラクターの風格や威圧感等をユーザに感じさせるため、体感装置１０４Ｃを用いて、風をユーザに送る。また、制御部１３は、例えば、ユーザのキャラクターが馬に乗って敵を追いかける際、体感装置１０４Ａを用いて、乗馬しているような振動をユーザに体感させる。
【００５１】
≪ゲームをダウンロードする際の処理≫
次に、図６を参照し、コンテンツ再生装置１０がサーバ２０からコンテンツをダウンロードする際の処理について説明する。図６は、実施形態に係るコンテンツ再生システム１のコンテンツをダウンロードする際の処理の一例を示すフローチャートである。図７は、検査用のデータの一例を示す図である。
【００５２】
ステップＳ１０１において、コンテンツ再生装置１０の制御部１３は、ダウンロード可能なコンテンツの一覧を表示するための操作をコンテンツ再生装置１０の管理者等から受け付ける。
【００５３】
続いて、コンテンツ再生装置１０の取得部１２は、ダウンロード可能なコンテンツの一覧の取得要求をサーバ２０に送信する（ステップＳ１０２）。
【００５４】
続いて、サーバ２０の配信部２２は、現在ダウンロード可能なコンテンツの一覧をコンテンツ再生装置１０に送信する（ステップＳ１０３）。
【００５５】
続いて、コンテンツ再生装置１０の制御部１３は、サーバ２０から取得した一覧を表示する（ステップＳ１０４）。
【００５６】
続いて、コンテンツ再生装置１０の制御部１３は、ダウンロードして追加するコンテンツ、及び削除するコンテンツを指定するための操作をコンテンツ再生装置１０の管理者等から受け付ける（ステップＳ１０５）。ここで、コンテンツ再生装置１０の記憶部１１には、例えば、工場からの出荷時等において所定数（例えば、３つ）のコンテンツが記憶されており、所定の最大数（例えば、５つ）までのコンテンツを記憶しておくことができる。そのため、コンテンツ再生装置１０において既に記憶されているコンテンツの数が当該最大数になっている場合、１つのコンテンツを追加するためには、既に記憶されている１つのコンテンツを削除する必要がある。この場合、コンテンツ再生装置１０の制御部１３は、コンテンツ再生装置１０の記憶部１１に既に記憶されているコンテンツの一覧を表示し、当該一覧の中から、削除するコンテンツを管理者が選択できるようにしてもよい。
【００５７】
続いて、コンテンツ再生装置１０の取得部１２は、当該操作により指定されたコンテンツに応じた、体感装置１０４の検査用のデータの取得要求をサーバ２０に送信する（ステップＳ１０６）。
【００５８】
続いて、サーバ２０の配信部２２は、検査データ２１１を参照し、指定されたコンテンツに応じた、検査用のデータをコンテンツ再生装置１０に送信する（ステップＳ１０７）。ここで、図７の例では、検査データ２１１には、コンテンツのＩＤに対応付けて、コンテンツの名称（タイトル）、コンテンツにて使用される体感装置１０４の各機能を示す情報、及び当該各機能の重要度が記録されている。図７の例では、「名称Ａ」のコンテンツでは、「花の香り」及び「冷風」を提供する機能が「推奨」であり、「振動」を提供する機能が「必須」と設定されている。これは、「振動」を提供する機能が正常に動作しない場合はコンテンツを実行すべきではないことを示している。また、「花の香り」及び「冷風」を提供する機能については、例えば、コンテンツにおいて重要ではない、または主要なコンテンツシナリオでは用いられない等の理由により、香りが弱まっている等の場合でもコンテンツを実行してもよいことを示している。
【００５９】
続いて、コンテンツ再生装置１０の検査部１４は、受信した検査用のデータに基づいて、体感装置１０４を検査し、コンテンツ再生装置１０の制限部１５は、検査結果と、受信した検査用のデータとに基づいて、コンテンツの利用を制限するか否かを判定する（ステップＳ１０８）。ステップＳ１０８の処理については後述する。以下では、コンテンツを制限しないと判定された場合について説明する。
【００６０】
続いて、コンテンツ再生装置１０の取得部１２は、ステップＳ１０５で管理者から指定されたコンテンツをサーバ２０の取得要求をサーバ２０に送信する（ステップＳ１０９）。
【００６１】
続いて、サーバ２０の配信部２２は、コンテンツ再生装置１０から要求されたコンテンツを、コンテンツ再生装置１０に配信する（ステップＳ１１０）。
【００６２】
続いて、コンテンツ再生装置１０の制御部１３は、ダウンロードしたコンテンツを、記憶部１１に記憶させる（ステップＳ１１１）。
【００６３】
≪コンテンツの利用制限の判定処理≫
次に、図８を参照し、ステップＳ１０８の、コンテンツの利用制限を判定する処理の例について説明する。図８は、コンテンツの利用制限を判定する処理の一例を示すフローチャートである。
【００６４】
なお、以下の処理は、例えば、サーバ２０が配信可能なコンテンツの一覧から、ダウンロードするコンテンツがユーザにより選択された場合に限らず、インストール（またはダウンロード）されているコンテンツの一覧から、実行するコンテンツがユーザにより選択された場合等においても実行されてもよい。
【００６５】
ステップＳ２０１において、検査部１４は、処理対象のコンテンツで用いられる各体感装置１０４の各機能が全て正常であるか否かを判定する。ここで、検査部１４は、処理対象のコンテンツに対する検査用のデータに示される各体感装置１０４の各機能が、正常であるか否かを検査する。図７の「名称Ａ」のコンテンツの例では、検査部１４は、体感装置１０４Ａの振動機能が正常であるか、体感装置１０４Ｂの花の香りの機能が正常であるか、体感装置１０４Ｃの冷風機能が正常であるか等を検査するプログラムを実行する。
【００６６】
全てが正常である場合（ステップＳ２０１でＹＥＳ）、後述するステップＳ２０５の処理に進む。
【００６７】
全てが正常ではない場合、すなわち、正常ではない機能が１以上存在する場合（ステップＳ２０１でＹＥＳ）、制限部１５は、当該正常ではない機能のうち１つ以上が、当該コンテンツにより必須とされているか否かを判定する（ステップＳ２０２）。
【００６８】
当該コンテンツにより必須とされている場合（ステップＳ２０２でＹＥＳ）、制限部１５は、当該コンテンツの利用を不許可とし（ステップＳ２０３）、処理を終了する。図７の「名称Ａ」のコンテンツの例では、制限部１５は、「必須」とされている体感装置１０４Ａの振動機能が正常でない場合、当該コンテンツの利用を不許可とする。
【００６９】
当該コンテンツにより必須とされていない場合（ステップＳ２０２でＮＯ）、制限部１５は、当該正常ではない各機能についての警告メッセージを表示し（ステップＳ２０４）、当該コンテンツの利用を許可し（ステップＳ２０５）、処理を終了する。図７の「名称Ａ」のコンテンツの例では、制限部１５は、「必須」とされていない体感装置１０４Ｂの花の香りの機能が正常でない場合、及び体感装置１０４Ｃの冷風機能が正常でない場合、警告メッセージを表示し、当該コンテンツの利用を許可とする。
【００７０】
これにより、体感させる機能の一部が不調である可能性がある場合でも、例えば、当該機能があまり重要でない場合は、コンテンツの実行を許可することもできる。
【００７１】
＜変形例１＞
コンテンツ再生装置１０の制限部１５は、図８のコンテンツの利用可否を判定する処理を、以下に示すように、サーバ２０が配信可能なコンテンツの一覧、またはインストールされているコンテンツの一覧を表示する前に実行してもよい。図９は、利用可能なコンテンツの一覧を表示する処理の一例を示すフローチャートである。
【００７２】
ステップＳ３０１において、制御部１３は、ダウンロード可能または実行可能なコンテンツの一覧を表示するための操作をコンテンツ再生装置１０の管理者またはユーザ等から受け付ける。
【００７３】
続いて、取得部１２は、検査データ２１１をサーバ２０から取得する（ステップＳ３０２）。
【００７４】
続いて、検査部１４は、各体感装置１０４の各機能について検査を行う（ステップＳ３０３）。
【００７５】
続いて、制限部１５は、検査部１４による検査結果と、検査データ２１１とに基づいて、コンテンツを制限するか否かを判定する（ステップＳ３０４）。なお、ステップＳ３０３の処理は、図８ステップＳ２０１乃至ステップＳ２０５の処理と同様の処理を、サーバ２０が配信可能な全てのコンテンツ、またはインストールされている全てのコンテンツに対して実行する。
【００７６】
続いて、制限部１５は、ダウンロード可能または再生可能なコンテンツの一覧を表示する（ステップＳ３０５）。ここで、制限部１５は、当該一覧において、利用を許可するコンテンツを、ユーザ等により選択可能な態様で表示する。
【００７７】
図１０Ａ、及び図１０Ｂは、再生可能なコンテンツの一覧の表示画面の例を示す図である。図１０Ａの例では、制限部１５は、ヘッドマウントディスプレイである表示装置１０１Ａに、「ホラーゲーム」という名称のコンテンツを再生するためのアイコン１００１、及び「競馬ゲーム」という名称のコンテンツを再生するためのアイコン１００２を、選択可能な態様で、再生可能なコンテンツの一覧に表示している。図１０Ａの例では、「ホラーゲーム」及び「競馬ゲーム」の利用が許可されており、ユーザが視点をアイコン１００１に合わせると、制御部１３は、「ホラーゲーム」という名称のコンテンツの再生を開始する。また、ユーザが視点をアイコン１００２に合わせると、制御部１３は、「競馬ゲーム」という名称のコンテンツの再生を開始する。
【００７８】
図１０Ｂの例では、図１０Ａの例と比較して、さらに、「格闘ゲーム」という名称のコンテンツを再生するためのアイコン１００３が、再生可能なコンテンツの一覧に表示されている。図１０Ａの例では、「ホラーゲーム」及び「競馬ゲーム」の利用が許可されており、「格闘ゲーム」の利用は制限されている。そのため、制限部１５は、アイコン１００１、及びアイコン１００２は、選択可能な態様で表示し、アイコン１００３は、グレーアウトして表示しており、ユーザが視点をアイコン１００３に合わせても、制御部１３は、「格闘ゲーム」という名称のコンテンツの再生を開始しない。
【００７９】
以上、本発明の実施例について詳述したが、本発明は斯かる特定の実施形態に限定されるものではなく、特許請求の範囲に記載された本発明の要旨の範囲内において、種々の変形・変更が可能である。
【００８０】
制御部１３は、例えば１以上のコンピュータにより構成されるクラウドコンピューティングにより実現されていてもよい。
【符号の説明】
【００８１】
１  コンテンツ再生システム
１０  コンテンツ再生装置
１００  筐体
１０１Ａ  表示装置
１０２  コントローラ
１０３  搭乗部
１０４  体感装置
１１０  制御装置
１５０  表示装置
１１  記憶部
１２  取得部
１３  制御部
１４  検査部
１５  制限部
２０  サーバ
２１  記憶部
２１１  検査データ
２２  配信部
２３  制御部
【図１Ａ】
2019154907.tif 000003
【図１Ｂ】
2019154907.tif 000004
【図２】
2019154907.tif 000005
【図３】
2019154907.tif 000006
【図４】
2019154907.tif 000007
【図５】
2019154907.tif 000008
【図６】
2019154907.tif 000009
【図７】
2019154907.tif 000010
【図８】
2019154907.tif 000011
【図９】
2019154907.tif 000012
【図１０Ａ】
2019154907.tif 000013
【図１０Ｂ】
2019154907.tif 000014